(57)【要約】【課題】  本発明は、壁面用建材として使用される外装材に関し、比較的安価で、容易に製造でき、従来の外装材に比べて断熱効果を一層向上させた外装材を提供することを目的とする。【解決手段】  本発明のＬ型外装材１０は、背面１２を壁面取り付け側とする外装材基部２０と、外装材基部２０の下部から正面１４側に突出し、且つ外装材基部２０の横手方向に伸びる突出部２２と、を含んで構成され、縦方向断面形状が略Ｌ字形状をなすことを特徴とする。【選択図】  図８
2008196214.tif 000002
【特許請求の範囲】
【請求項１】
壁面用建材として使用される外装材であって、
背面を壁面取り付け側とする外装材基部と、該外装材基部の下部から正面側に突出し、且つ該外装材基部の横手方向に伸びる突出部と、を含んで構成され、
縦方向断面形状が略Ｌ字形状をなすことを特徴とする、Ｌ型外装材。
【請求項２】
前記突出部の上面が湾曲していることを特徴とする、請求項１に記載のＬ型外装材。
【請求項３】
前記突出部の上面が、前記外装材基部の正面から該突出部の先端部に向かって斜め下方向に傾斜していることを特徴とする、請求項１に記載のＬ型外装材。
【請求項４】
前記外装材基部及び／又は前記突出部に、各々の横手方向に貫通する中空部が形成された、請求項１から請求項３の何れかに記載のＬ型外装材。
【請求項５】
前記突出部の下面に、前記突出部の横手方向に伸びる凹溝又は凸条が形成された、請求項１から請求項４の何れかに記載のＬ型外装材。
【請求項６】
前記突出部の上面及び前記突出部の前面に光沢釉が施釉された、請求項１から請求項５の何れかに記載のＬ型外装材。
【請求項７】
前記外装材基部の上部正面に凹凸が形成された、請求項１から請求項６の何れかに記載のＬ型外装材。
【請求項８】
前記外装材基部の上部正面に黒色系の彩色が施された、請求項１から請求項７の何れかに記載のＬ型外装材。
【請求項９】
前記外装材基部の上部正面に凹部が形成され、該凹部に、植栽を施すための多孔質セラミックスが充填された、請求項１から請求項６の何れかに記載のＬ型外装材。
【発明の詳細な説明】
【技術分野】
【０００１】
本発明は、壁面用建材として使用される、縦方向断面形状が略Ｌ字形状をなすＬ型外装材に関する。
【背景技術】
【０００２】
従来の壁面用建材として使用されるタイル等の外装材は薄板状のものが殆どであり、このような従来の薄板状外装材は、建物の美観を向上するために用いられるのが一般的である。つまり、従来の薄板状外装材には断熱効果が殆ど期待できず、建物の断熱性を向上するために、薄板状外装材が貼着される壁面内部に断熱材を別途施工して、断熱効果を高めている。
【０００３】
また、従来の薄板状外装材に代えて、断熱効果を高めた外装材も種々開示されている（例えば、特許文献１及び特許文献２参照。）。特許文献１に開示された外装材は、発泡ガラスからなる断熱層を備えた外断熱タイルであって、セラミックタイルの裏面に断熱層が一体成形されており、当該外断熱タイルを壁面に貼着することによって、断熱効果が得られる。特許文献２に開示された外装材は、断熱材を充填した断熱材複合タイルであって、タイル本体内部の空洞部に発泡断熱材を充填することによって、タイル自体の断熱性向上が図られている。
【０００４】
【特許文献１】特開２００３−２２７２２１号公報（請求項１）
【特許文献２】特開２００６−１２４２１３号公報（請求項１）
【発明の開示】
【発明が解決しようとする課題】
【０００５】
上記の通り、従来の薄板状外装材には断熱効果が殆どなく、壁面に施工された断熱材による断熱効果しか得られず、断熱効率が非常に悪い。
【０００６】
一方、上記外断熱タイルや断熱材複合タイルによると、壁面に施工された断熱材による断熱効果と共に、タイル自体の断熱効果も得られるため、建物の断熱性は非常に向上される。しかし、これらの外装材（タイル）は、製造コストが高くつき、建築コストの高騰を招くおそれがある。
【０００７】
更に、従来の薄板状外装材や外断熱タイル、断熱材複合タイルは、何れも外装材表面が平面をなしているため、これらの外装材が貼着された外壁も平面をなすこととなる。従って、一年を通して外壁には太陽光が直接当たることとなるが、特に夏場の太陽光が直接当たり続けると、外装材表面が猛烈に熱せられ、外装材自体の温度も上昇するため、断熱効果を十分に発揮することが困難となる。
【０００８】
そこで本発明者は、上記の問題点に鑑み、比較的安価で、容易に製造でき、従来の外装材に比べて断熱効果を一層向上させた外装材を提供するべく鋭意検討を重ねた結果、本発明に至ったのである。
【課題を解決するための手段】
【０００９】
即ち、本発明のＬ型外装材の要旨とするところは、壁面用建材として使用される外装材であって、背面を壁面取り付け側とする外装材基部と、該外装材基部の下部から正面側に突出し、且つ該外装材基部の横手方向に伸びる突出部と、を含んで構成され、縦方向断面形状が略Ｌ字形状をなすことにある。
【００１０】
また、かかるＬ型外装材において、前記突出部の上面は湾曲、或いは前記外装材基部の正面から該突出部の先端部に向かって斜め下方向に傾斜していることにある。
【００１１】
また、かかるＬ型外装材において、前記外装材基部及び／又は前記突出部には、各々の横手方向に貫通する中空部が形成され得る。
【００１２】
更に、かかるＬ型外装材において、前記突出部の下面には、前記突出部の横手方向に伸びる凹溝又は凸条が形成され得る。
【００１３】
また、かかるＬ型外装材において、前記突出部の上面及び前記突出部の前面には、光沢釉が施釉され得る。
【００１４】
更にまた、かかるＬ型外装材において、前記外装材基部の上部正面には、凹凸が形成され得る。
【００１５】
また、かかるＬ型外装材において、前記外装材基部の上部正面には、黒色系の彩色が施され得る。
【００１６】
更に、かかるＬ型外装材において、前記外装材基部の上部正面には凹部が形成され、該凹部に、植栽を施すための多孔質セラミックスが充填され得る。
【発明の効果】
【００１７】
本発明のＬ型外装材によると、当該Ｌ型外装材に係る突出部によって、太陽光の照射角度に応じて太陽光を遮ることができる。つまり、夏場の比較的照射角度が大きい時期の太陽光は、当該上部正面に直接当たることがないため、当該Ｌ型外装材に係る外装材基部及び当該Ｌ型外装材が貼着された壁面の温度上昇を抑制することができる。一方、冬場の比較的照射角度が小さい時期には、太陽光を当該上部正面にも直接当てて、当該外装材基部及び当該壁面を暖めることができる。従って、本発明のＬ型外装材を外壁に適用することによって、壁面に特殊な断熱材を用いたり、高価な断熱外装材を用いたりしなくても、外壁の断熱効果を容易に向上することができ、夏は涼しく、冬は暖かい外壁を備えた建物を提供することができる。
【００１８】
また、本発明に係る突出部には太陽光が直接当たることとなるが、当該突出部は、本発明のＬ型外装材に係る外装材基部を挟んで、当該Ｌ型外装材が貼着された壁面の反対側に位置しているため、当該突出部が熱くなった場合でも、当該突出部の熱は壁面まで伝達され難く、断熱効果が非常に高い。更に当該突出部は、外装材基部から突出して当該Ｌ型外装材の冷却フィンとしての機能も兼ね備えており、熱くなった当該Ｌ型外装材の放熱効果も高まる。
【００１９】
また、本発明のＬ型外装材に係る突出部の上面を湾曲或いは傾斜させることによって、当該上面によって太陽光が反射、拡散されることとなり、断熱効果を更に向上することができると共に、本発明のＬ型外装材のデザイン性も向上される。
【００２０】
また、本発明のＬ型外装材の内部には中空部が形成されているため、断熱効果を一層向上することができる。
【００２１】
更に、本発明に係る突出部の下面に、凹溝或いは凸条を形成することによって、当該凹溝等が導水手段としての機能を果たし、本発明のＬ型外装材の表面を流下する雨水等を、当該突出部の下面へと伝わせた後、凹溝或いは凸条を介してスムーズに下側に位置するＬ型外装材に係る外装材基部の上部正面へと、均一に、且つスムーズに流下させることができ、雨水等の流水による当該Ｌ型外装材の表面の洗浄効果、Ｌ型外装材自体の冷却効果も得られる。
【００２２】
また、本発明に係る突出部の上面及び前面に光沢釉を施釉することによって、当該上面等に直接当たる太陽光の反射、拡散機能が更に向上され、断熱効果を一層向上することができる。
【００２３】
また、本発明に係る外装材基部の上部正面に凹凸を形成することによって、当該上部正面の表面積が増大し、断熱効果、冷却効果の更なる向上が図られると共に、本発明のＬ型外装材のデザイン性も向上される。
【００２４】
更にまた、本発明に係る外装材基部の上部正面に黒色系の彩色を施しておくことによって、当該上部正面に直接当たる太陽光を積極的に吸収し、当該外装材基部及び外装材基部を介して本発明のＬ型外装材が貼着された壁面を効率よく暖めることができる。
【００２５】
また、本発明に係る外装材基部の上部正面に凹部を形成し、当該凹部に、植栽を施すための多孔質セラミックスを充填することによって、当該多孔質セラミックスに植栽が施された本発明のＬ型外装材を壁面に貼着した場合には、当該壁面の緑化が図られる。
【発明を実施するための最良の形態】
【００２６】
以下、本発明のＬ型外装材の実施形態について、図面に基づき説明する。なお、本発明は以下に示す実施形態に限定されるものではない。
【００２７】
本実施の形態に係るＬ型外装材１０は、壁面用建材として使用される外装材であって、図１に示すように、背面１２を壁面取り付け側とする外装材基部２０と、外装材基部２０の下部から正面１４側に突出し、且つ外装材基部２０の横手方向に伸びる突出部２２と、を含んで構成されている。そして、本実施形態のＬ型外装材１０に係る突出部２２の上面２４は下方に向かって凹状に湾曲しており、これら外装材基部２０と突出部２２とが一体に成形されて、縦方向断面形状が略Ｌ字形状をなしている。
【００２８】
また、図１に示した本実施形態のＬ型外装材１０において、外装材基部２０及び突出部２２の内部には、横手方向に貫通する中空部３０が形成されている。より具体的には、Ｌ型外装材１０に係る外装材基部２０の下部と突出部２２とに跨る、縦方向断面形状が略矩形状をなす中空部３０であり、Ｌ型外装材１０の左側面１６ａから右側面１６ｂまで、Ｌ型外装材１０の横手方向に、Ｌ型外装材１０内を貫通した状態で形成されている。
【００２９】
更に、本実施形態に係る突出部２２の下面２８には、突出部２２の横手方向、すなわちＬ型外装材１０の横手方向に伸びる凹溝３２が形成されている。
【００３０】
図２に、図１に示した本実施形態に係るＬ型外装材１０を壁面Ｗに貼着した状態の一施工例を示す。同図に示したように、複数のＬ型外装材１０、１０、・・・は、横方向に隣接するＬ型外装材１０同士の中空部３０及び凹溝３２をそれぞれ連通させた状態で、接着剤やモルタル等の貼着材３１により壁面Ｗに貼着される。なお、同図中の符号３３は目地材を表している。
【００３１】
この時、縦方向に隣接するＬ型外装材１０同士において、上側に位置するＬ型外装材１０が備える凹溝３２は、突出部２２の下面２８に形成されているため、下側に位置するＬ型外装材１０の上面１８より前方（正面１４側）に露出した状態となる。言い換えれば、Ｌ型外装材１０に係る凹溝３２は、複数のＬ型外装材１０を壁面Ｗに貼着した際に、下側に位置するＬ型外装材１０の上面１８より前方（正面１４側）に露出する位置、即ち突出部２２の下面２８に形成しておく必要がある。なお、同図には、芋目地の施工例が図示されているが、馬踏み目地により複数のＬ型外装材が貼着されてもよい。馬踏み目地による場合であっても、上記と同様、横方向に隣接するＬ型外装材１０同士の中空部３０及び凹溝３２を連通させた状態で、且つ上側に位置するＬ型外装材１０に係る凹溝３２を、下側に位置するＬ型外装材１０の上面１８より前方（正面１４側）に露出させた態で貼着することができる。
【００３２】
図３（ａ）（ｂ）に、図２に示した施工例の側面図を示す。同図中、符号Ｓは太陽光を表している。まず図３（ａ）に示したように、太陽光Ｓの照射角度が大きい場合には、壁面Ｗに貼着された本実施形態に係るＬ型外装材１０に対して太陽光Ｓが照射されると、各Ｌ型外装材１０に係る突出部２２の上面２４及び前面２６に太陽光Ｓが直接当たる。しかし、下側に位置するＬ型外装材１０に係る外装材基部２０の上部正面１４には、上側に位置するＬ型外装材１０が備える突出部２２によって太陽光Ｓが遮られるため、太陽光Ｓが直接当たることはない。
【００３３】
一方、図３（ｂ）に示したように、太陽光Ｓの照射角度が小さい場合には、各Ｌ型外装材１０に係る突出部２２の上面２４及び前面２６に太陽光Ｓが直接当たると共に、上側に位置するＬ型外装材１０が備える突出部２２によって太陽光Ｓが殆ど遮られないため、下側に位置するＬ型外装材１０に係る外装材基部２０の上部正面１４にも太陽光Ｓが直接当たることとなる。
【００３４】
従って、本実施形態に係るＬ型外装材１０を壁面Ｗに貼着することによって、夏場の比較的南中高度が高い（＝照射角度が大きい）時期の太陽光Ｓは、Ｌ型外装材１０に係る外装材基部２０の上部正面１４に直接当たることがないため、Ｌ型外装材１０に係る外装材基部２０及び壁面Ｗの温度上昇を抑制することができる（図３（ａ）参照）。一方、冬場の比較的南中高度が低い（＝照射角度が小さい）時期には、太陽光Ｓを外装材基部２０の上部正面１４にも直接当てて、Ｌ型外装材１０に係る外装材基部２０及び壁面Ｗを暖めることができる（図３（ｂ）参照）。つまり、本実施形態に係るＬ型外装材１０を外壁に適用することによって、壁面Ｗに特殊な断熱材を用いたり、高価な断熱外装材を用いたりしなくても、外壁の断熱効果を容易に向上することができ、夏は涼しく、冬は暖かい外壁を備えた建物を提供することができる。
【００３５】
また、本実施形態のＬ型外装材１０に係る突出部２２の上面２４及び前面２６には、照射角度に関係なく、一年を通して太陽光Ｓが直接当たる。しかし、この太陽光Ｓが当たる突出部２２は、Ｌ型外装材１０に係る外装材基部２０を挟んで壁面Ｗの反対側（外装材基部２０の正面１４側）に位置している。従って、特に夏場の太陽光Ｓがこの突出部２２に直接当たって突出部２２が熱くなった場合でも、突出部２２の熱は壁面Ｗまで伝達され難いため、断熱効果が非常に高い。更に突出部２２は、外装材基部２０から突出してＬ型外装材１０の冷却フィンとしての機能も兼ね備えており、熱くなったＬ型外装材１０の放熱効果も高まる。
【００３６】
また、本実施形態のＬ型外装材１０に係る突出部２２の上面２４は、下方に向かって凹状に湾曲している。従って、突出部２２の上面２４に当たった太陽光Ｓは、この上面２４によって反射、或いは拡散されることとなり、断熱効果を更に向上することができる。
【００３７】
また更に、突出部２２を含むＬ型外装材１０の内部には中空部３０が形成されているため、断熱効果を一層向上することができる。
【００３８】
また、本実施形態のＬ型外装材１０に係る突出部２２の下面２８には、上記の通り凹溝３２が形成されている。従って、雨が降った場合や、別途灌水設備を設けて、Ｌ型外装材１０の表面に灌水した場合等に、上側に位置するＬ型外装材１０に係る外装材基部２０の上部正面１４、突出部２２の上面２４及び前面２６を流下する雨水等を、突出部２２の下面２８へと伝わせた後、凹溝３２を介してスムーズに下側に位置するＬ型外装材１０に係る外装材基部２０の上部正面１４へと流下させることができる。つまり、凹溝３２が導水溝としての機能を果たし、凹溝３２が形成されていない場合に比べて、均一に、且つスムーズに下側のＬ型外装材１０へと流下させることができ、雨水等によるＬ型外装材１０表面の洗浄効果、灌水によるＬ型外装材１０自体の冷却効果も得られる。
【００３９】
以上、本発明の一実施形態に係るＬ型外装材１０について詳述したが、本発明のＬ型外装材は上記の実施形態に限定されない。特に、本発明のＬ型外装材に係る突出部の奥行き方向の長さや外装材基部の上部正面の高さ、外装材基部の厚み（奥行き方向の長さ）、突出部の前面幅（縦方向の長さ）等は何れも設計事項に過ぎず、特に限定されない。
【００４０】
日本では、南中高度が最も高くなる夏至を過ぎると日中の気温も上昇し、７〜９月にかけては、一年の内で最も暑い時期となる。南中高度は観測地の緯度によって異なり、日本の主要都市における２００６年の南中高度は［表１］の通りである。
【００４１】
【表１】
2008196214.tif 000003
【００４２】
ここで、図４に示したＬ型外装材１０ａにおいて、突出部２２の奥行き方向の長さをＸ、外装材基部の上部正面１４の高さをＹ、外装材基部２０の厚み（奥行き方向の長さ）をＺ、突出部２２の前面２６の幅（縦方向の長さ）をＴ、太陽光Ｓ１の照射角度（南中高度）をθとした場合、当該ＸとＹには次式の関係が成り立つ。
Ｘ＝Ｙ／ｔａｎθ・・・・（式１）
【００４３】
例えば、札幌に関してみると、夏場の南中高度は約７０度〜４５度で推移している。そこで、外装材基部２０の厚みＺと突出部２２の前面２６の幅Ｔとを同一とし、θ＝４５度とした場合、外装材基部２０の上部正面１４の高さＹを任意の長さに設定することによって、突出部２２の奥行き方向の長さＸを決定することができる。図４に示したＬ型外装材１０ａでは、突出部２２の奥行き方向の長さＸが、太陽光Ｓ１の照射角度θを４５度として設定されている。従って、照射角度θが４５度以上の太陽光Ｓ１は、上側に位置するＬ型外装材１０ａに係る突出部２２によって遮られるため、下側に位置するＬ型外装材１０ａに係る上部正面１４に直接当たることはなく、断熱効果を高めることができる。一方、冬場の太陽光Ｓ１の照射角度θは約４５度を下回るため（表１参照）、上側に位置するＬ型外装材１０ａに係る突出部２２によって太陽光Ｓ１が遮られることがなく、外装材基部２０の上部正面１４にも太陽光Ｓ１が直接当たることとなり、外装材基部２０及び壁面Ｗを暖めることができる。
【００４４】
また、本実施形態のＬ型外装材１０ａに係る突出部２２についても、上記Ｌ型外装材１０に係る突出部２２と同様、冷却フィンとしての放熱機能、太陽光Ｓ１の反射、拡散機能を備えている。
【００４５】
以上、本実施形態のＬ型外装材１０ａに係る突出部２２の奥行き方向の長さＸを決定する設計例について詳述した。Ｌ型外装材１０ａによると、太陽光Ｓ１の照射角度θが４５度以上であれば太陽光Ｓ１を突出部２２によって遮ることができる。しかし、［表１］に示した通り、東京や大阪等の地域では秋分の時期でも照射角度（南中高度）θは５０度を超えている。Ｌ型外装材１０ａをこれらの地域で使用した場合には、太陽光Ｓ１が突出部２２によって遮られる期間が長くなり、寒くなり始める時期の太陽光Ｓ１を積極的に外装材基部２０の上部正面１４に直接当てることができない。
【００４６】
つまり、本発明のＬ型外装材において、特に突出部の奥行き方向の長さＸは、使用地域やＬ型外装材が貼着される壁面Ｗの方角、何階部分の壁面Ｗに貼着するか等を考慮して設定され得る。そして、実際に建物の壁面Ｗに本発明のＬ型外装材を貼着する際には、例えば、南側の壁面Ｗには突出部の奥行き方向の長さＸが短いＬ型外装材を貼着し、西側の壁面Ｗには当該Ｘが長いＬ型外装材を貼着することによって、日中の照射角度θが大きい太陽光、夕方の照射角度θが小さい太陽光をそれぞれ突出部によって遮ることができ、断熱効果を一層高めることも可能である。
【００４７】
また、本実施形態のＬ型外装材１０ａでは、外装材基部２０の厚みＺと突出部２２の前面２６の幅Ｔとを同一にして設計されているが、例えば図５に示したＬ型外装材１０ｂのように、外装材基部２０の厚みＺと突出部２２の前面２６の幅Ｔが異なった態様であってもよい。本実施形態のＬ型外装材１０ｂでは、照射角度（南中高度）θを６０度に設定しているが、外装材基部２０の厚みＺより突出部２２の前面２６の幅Ｔを小さくすることによって、外装材基部２０の厚みＺと突出部２２の前面２６の幅Ｔとが同一のＬ型外装材（不図示）に比べて、湾曲した突出部２２の上面２４の曲率半径を小さくすることができ、太陽光Ｓ２の反射、拡散機能を向上することができる。
【００４８】
更に、本発明のＬ型外装材に係る突出部の形状は特に限定されず、図６（ａ）に示したＬ型外装材１０ｃのように、突出部２２に係る前面２６の上縁部２７ａ及び下縁部２７ｂが湾曲した態様であってもよく、或いは面取りされた態様（不図示）であってもよい。更には、図６（ｂ）に示したＬ型外装材１０ｄのように、突出部２２に係る前面２６の上縁部２７ａ（＝突出部２２の先端部）が湾曲し、且つ前面２６及び下面２８が連続的に湾曲した態様であってもよい。特に、本発明に係る突出部の形状を、当該Ｌ型外装材１０ｄに係る突出部２２の形状とすることによって、他の実施形態に係る突出部２２に比べて、雨水を凹溝３２にスムーズに導くことができる。
【００４９】
また、上記種々の実施形態に係る突出部２２の上面２４は、何れも下方に向かって凹状に湾曲しているが、上方に向かって凸状に湾曲させてもよい（不図示）。或いは、図７に示したＬ型外装材１０ｅのように、突出部２２の上面２４が、外装材基部２０の正面１４から突出部２２の先端部（＝突出部２２に係る前面２６の上縁部２７ａ）に向かって斜め下方向に傾斜した態様であってもよい。何れの態様であっても、突出部２２に係る上面２４に直接当たる太陽光を反射、拡散させることができ、Ｌ型外装材１０ｅが備える断熱機能を向上することができる。なお、図７に示したＬ型外装材１０ｅのように、突出部２２の上面２４を傾斜させた態様が、太陽光の反射、拡散機能を高める上で、より好ましい。
【００５０】
また更に、図８に示したＬ型外装材１０ｆのように、突出部２２の上面２４が平面をなした態様であってもよい。つまり、同図に示したＬ型外装材１０ｆに係る突出部２２の上面２４と、外装材基部２０の正面１４とが直角をなして、Ｌ型外装材１０ｆの縦方向断面形状がＬ字形状をなす態様であってもよい。当該Ｌ型外装材１０ｆを壁面Ｗに貼着することによっても、夏場の比較的南中高度が高い（＝照射角度が大きい）時期の太陽光Ｓは、Ｌ型外装材１０ｆに係る外装材基部２０の上部正面１４に直接当たることがないため、外装材基部２０及び壁面Ｗの温度上昇を抑制することができる。一方、冬場の比較的南中高度が低い（＝照射角度が小さい）時期には、太陽光Ｓを外装材基部２０の上部正面１４に直接当てて、外装材基部２０及び壁面Ｗを暖めることができる。
【００５１】
また、Ｌ型外装材１０ｆに係る突出部２２も、上記実施形態に係るＬ型外装材１０と同様、冷却フィンとしての機能も兼ね備えており、更に、突出部２２の上面２４に当たった太陽光Ｓを反射、或いは拡散させて、断熱効果を向上することも可能である。
【００５２】
以上、本発明のＬ型外装材の種々の実施形態について詳述したが、本発明のＬ型外装材は、その他の実施形態でも実施し得る。
【００５３】
上記実施形態に係るＬ型外装材１０、１０ａ〜１０ｆには、断熱効果を高めるために中空部３０が形成されているが、このように本発明のＬ型外装材には中空部が形成されている方がより好ましい。なお、本発明のＬ型外装材に形成される中空部の形成位置や縦方向断面形状等は、上記実施形態に係る中空部３０に限定されず、図９（ａ）〜（ｃ）に示したような種々の態様の中空部を形成することもできる。具体的には、同図（ａ）に示したように、外装材基部２０の下部及び突出部２２にそれぞれ、縦方向断面形状が円形をなす中空部３０ａが、Ｌ型外装材１０の横手方向に貫通した状態で形成されてもよい。或いは、同図（ｂ）に示したように、外装材基部２０にのみ、縦方向断面形状が略矩形状をなす中空部３０ｂが、Ｌ型外装材１０の横手方向に貫通した状態で形成されてもよい。更には、同図（ｃ）に示したように、外装材基部２０の下部と突出部２２とに跨る位置、及び外装材基部２０の上部にそれぞれ、縦方向断面形状が略矩形状をなす中空部３０、３０ｂが、Ｌ型外装材１０の横手方向に貫通した状態で形成されてもよい。また更に、これら中空部３０、３０ａ、３０ｂは何れもＬ型外装材１０内を横手方向に貫通した状態で形成されているが、中空部３０等の両端開口、すなわちＬ型外装材１０の左右側面１６ａ、１６ｂに形成される開口が塞がれていてもよい。
【００５４】
また、上記実施形態に係るＬ型外装材１０等に形成される凹溝３２の位置は、突出部２２の下面２８であれば特に限定されず、図１０（ａ）に示したように、突出部２２の下面２８において、突出部２２に係る前面２６側に偏った位置に形成されてもよい。更に、突出部２２の下面２８に形成されるのは凹溝３２に限定されない。例えば、図１０（ｂ）に示したように、突出部２２の横手方向、すなわちＬ型外装材１０の横手方向に伸びる凸条３４が、突出部２２の下面２８に形成されてもよい。このような凸条３４を形成することによって、Ｌ型外装材１０の表面を流下する雨水等を、上側のＬ型外装材１０に係る突出部２２の下面２８から、下側に位置するＬ型外装材１０に係る外装材基部２０の上部正面１４へとスムーズに流下させることができる。更には、壁面ＷへＬ型外装材１０を貼着する際に、凸条３４を下側に位置するＬ型外装材１０に係る外装材基部２０の上部正面１４に当接させて貼着することにより、Ｌ型外装材１０の位置決めが容易となり、貼着作業の効率化を図ることができる。
【００５５】
以上、本発明のＬ型外装材に係る種々の実施形態について詳述したが、本発明は上記の実施形態に限定されない。例えば、本発明のＬ型外装材に係る突出部の上面及び前面には光沢釉が施釉されることが好ましい。図１１（ａ）に示したＬ型外装材１０ｇのように、突出部２２に係る上面２４及び前面２６に、光沢釉２９が施釉されることによって、突出部２２の上面２４等に直接当たる太陽光の反射、拡散機能が更に向上され、断熱効果を一層向上することができる。
【００５６】
また、上記種々の実施形態に係る外装材基部２０の上部正面１４は何れも平面をなしているが、図１１（ｂ）に示したＬ型外装材１０ｈのように、外装材基部２０の上部正面１４には、凹凸１５が形成されてもよい。同図に示した凹凸１５は、上部正面１４に複数の凹溝３５を設けることによって形成されている。このような凹凸１５を形成することによって、上部正面１４の表面積が増大し、断熱効果、冷却効果の更なる向上が図られると共に、Ｌ型外装材のデザイン性も向上される。なお、上部正面１４に凹凸１５を形成する方法としては特に限定されず、例えばスクラッチ等で凹凸１５が形成されてもよい。また、凹凸１５の形成方向も限定されず、図示した横方向以外に、縦方向や斜め方向であってもよい。更にまた、上部正面１４を波面や筋面とすることによって凹凸１５が形成されてもよい。
【００５７】
また、上記種々の実施形態に係る外装材基部２０の上部正面１４には、黒色系の彩色が施されることが好ましい（不図示）。本発明のＬ型外装材において、外装材基部の上部正面に太陽光が直接当たるのは、太陽光の照射角度が小さくなる（＝南中高度が低くなる）冬場となる。そこで、例えば図１に示したＬ型外装材１０に係る外装材基部２０の上部正面１４に、黒色系の彩色を施しておくことによって、上部正面１４に直接当たる太陽光を積極的に吸収し、外装材基部２０及び外装材基部２０を介して壁面Ｗを効率よく暖めることができる。
【００５８】
更にまた、本発明のＬ型外装材の他の実施形態として、図１１（ｃ）に示したＬ型外装材１０ｉのように、外装材基部２０の上部正面１４に凹部４０を形成し、この凹部４０に、植栽を施すための多孔質セラミックス４４が充填されてもよい。植栽には苔類が好ましいが、特に限定されない。同図に示したように、多孔質セラミックス４４に苔類４２が植栽された多孔質セラミックス４４を充填したＬ型外装材１０ｈを壁面に貼着することによって、壁面の緑化を図ることができる。更に、夏場の太陽光は、植栽が施された多孔質セラミックス４４に直接当たることがない。従って、特に苔類を植栽した場合には、苔類にとって好ましい生育環境を提供することも可能となる。
【００５９】
以上に例示した本発明の実施形態に係るＬ型外装材は、本発明の技術的思想を実質的に限定するものと解してはならない。例えば、各図に示したＬ型外装材１０等に係る外装材基部２０の背面１２は、何れも平面をなしているが、この背面１２には、あり溝（不図示）が形成されてもよい。あり溝を形成し、壁面Ｗに取り付けたフック等に係着することによって、施工性の向上が図られる。
【００６０】
また、本発明のＬ型外装材を壁面へ貼着する方法としては、接着剤やモルタル等を使用して貼着する方法の他、ビスや釘等を使用して壁面へ取り付けることも可能であり、本発明のＬ型外装材の貼着方法は特に限定されない。
【００６１】
更に、本発明の種々の実施形態に係るＬ型外装材１０等において、外装材基部２０の背面１２と、突出部２２の下面２８とは直角をなす態様に限定されず、例えば、突出部２２自体が、外装材基部２０の正面１４側から斜め下方に傾斜した態様であってもよい。
【００６２】
また更に、本発明のＬ型外装材の材質についても、例えば陶器、磁器、せっ器、セメント、発泡セメント、木質セメント、ガラス、ステンレスやアルミニウム等の金属、木材等が挙げられ、特に限定されない。本発明は、その要旨を逸脱しない範囲で、当業者の創意と工夫により、適宜に改良、変更又は追加をしながら実施できる。
【図面の簡単な説明】
【００６３】
【図１】本発明の一実施形態に係るＬ型外装材を示した斜視模式図である。
【図２】図１に示したＬ型外装材の施工例を示した斜視図である。
【図３】（ａ）（ｂ）は図１に示したＬ型外装材の施工例を示した側面図である。
【図４】本発明の他の実施形態に係るＬ型外装材を示した側面図である。
【図５】本発明の他の実施形態に係るＬ型外装材を示した側面図である。
【図６】（ａ）（ｂ）は本発明の他の実施形態に係るＬ型外装材を示した側面図である。
【図７】本発明の他の実施形態に係るＬ型外装材を示した側面図である。
【図８】本発明の他の実施形態に係るＬ型外装材を示した斜視図である。
【図９】（ａ）〜（ｃ）は本発明に係る中空部の他の実施形態を示した側面図である。
【図１０】（ａ）は本発明に係る凹溝の他の実施形態を示した側面図、（ｂ）は本発明に係る凸条の実施形態を示した側面図である。
【図１１】（ａ）〜（ｃ）は本発明の他の実施形態に係るＬ型外装材を示した斜視図である。
【符号の説明】
【００６４】
１０、１０ａ〜１０ｉ：Ｌ型外装材
１２：（外装材基部の）背面
１４：（外装材基部の上部）正面
１５：縞模様
１８：（外装材基部の）上面
２０：外装材基部
２２：突出部
２４：（突出部の）上面
２６：（突出部の）前面
２８：（突出部の）下面
２９：光沢釉
３０、３０ａ、３０ｂ：中空部
３２、３５：凹溝
３４：凸条
４０：凹部
４２：植栽
４４：多孔質セラミックス
Ｓ、Ｓ１：太陽光
Ｗ：壁面
Ｘ：突出部の奥行き方向の長さ
Ｙ：外装材基部の上部正面の高さ
Ｚ：外装材基部の厚み（奥行き方向の長さ）
Ｔ：突出部の前面の幅（縦方向の長さ）
θ：照射角度（南中高度）
【図１】
2008196214.tif 000004
【図２】
2008196214.tif 000005
【図３】
2008196214.tif 000006
【図４】
2008196214.tif 000007
【図５】
2008196214.tif 000008
【図６】
2008196214.tif 000009
【図７】
2008196214.tif 000010
【図８】
2008196214.tif 000011
【図９】
2008196214.tif 000012
【図１０】
2008196214.tif 000013
【図１１】
2008196214.tif 000014